【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
多機能印刷機器によるエネルギー消費量をシミュレートする機器であって、
プロセッサと、
前記プロセッサに操作可能に接続されたコンピュータ可読媒体であって、
複数のジョブを含む活動ログを読み込み、
複数の戦略から第１の戦略であって、前記活動ログの前記ジョブから独立し、かつ、前記ジョブを実行するときに前記多機能印刷機器をジョブ処理状態からアイドルモード状態又はスリープモード状態に移行するための規則の第１の集合を有する第１の戦略を読み込み、
前記多機能印刷機器により前記第１の戦略に基づき前記複数のジョブの各々を実行することをシミュレートする第１のシミュレーションを実行し、
前記第１のシミュレーションに従って前記ジョブ処理状態中に前記複数のジョブを実行するのに前記多機能印刷機器が必要とする第１の電力量を判断し、
前記第１のシミュレーションの前記アイドルモード状態及びスリープモード状態中に前記複数のジョブを実行することの間に前記多機能印刷機器が消費する第２の電力量を判断し、
前記第１のシミュレーションに従って前記第１の戦略に基づき前記複数のジョブを完了するための、前記第１の電力量と前記第２の電力量とを含む、前記多機能印刷機器による推定の電力消費量を含む報告書を作成し、
前記報告書を表示させるように前記プロセッサに命令するように構成された命令の集合を含む、コンピュータ可読媒体と、
を含む、多機能印刷機器によるエネルギー消費量をシミュレートする機器。
【請求項２】
命令の前記集合が、
前記複数の戦略から第２の戦略であって、前記ジョブを実行するときにジョブ処理状態からアイドルモード状態又はスリープモード状態に移行するための規則の第２の集合を有する第２の戦略を読み込み、
前記第２の戦略に基づき前記複数のジョブを実行することをシミュレートする第２のシミュレーションを実行し、
前記第２のシミュレーションの前記ジョブ処理状態中に前記第２の戦略に従って前記複数のジョブを実行するのに前記多機能印刷機器が消費する第３の電力量を判断し、
前記第２のシミュレーションの前記アイドルモード状態及び前記スリープモード状態中に前記第２の戦略に従って前記複数のジョブを実行することの間に前記多機能印刷機器が消費する第４の電力量を判断するように前記プロセッサに命令するように構成された命令をさらに含む、請求項１に記載の機器。
【請求項３】
命令の前記集合が、前記報告書を更新して、前記第２の戦略に基づく前記多機能印刷機器による前記第２のシミュレーションの推定の電力消費量であって、前記第３の電力量及び前記第４の電力量を有する、推定の電力消費量を含むように前記プロセッサに命令するようにさらに構成される、請求項２に記載の機器。
【請求項４】
前記規則の第１の集合は、前記ジョブ処理状態、前記アイドルモード状態、及び前記スリープモード状態に対する異なるエネルギーレベルの割り当てを有し、各エネルギーレベルは、前記機器が次のエネルギーレベルに移行する前に、エネルギーレベルにどれくらい長くとどまることになるのかを判断するタイムアウトに各エネルギーレベルが割り当てられる、請求項１に記載の機器。
【請求項５】
命令の前記集合が、更に、前記推定の電力消費量と実測の電力消費量の結果とを比較して、関連誤差の許容範囲を判断し、今後のシミュレーションで用いるためのシミュレーションエンジンに適用するように前記プロセッサに命令するように構成された、請求項１に記載の機器。
【請求項６】
命令の前記集合が、更に、前記推定の電力消費量と以前の結果と比較して、複数の戦略の何れかを加えた任意の変更が前記機器の全電力消費量を増減させたかどうかを判断するように前記プロセッサに命令するように構成された、請求項１に記載の機器。
【請求項７】
前記状態の各々が、関連する電力消費量を有する、請求項１に記載の機器。
【請求項８】
前記第１の戦略は、前記活動ログに基づいて前記機器のタイムアウトを最適化するための電力検知最適化戦略を有する、請求項１に記載の機器。
【請求項９】
前記活動ログが、前記多機能印刷機器によりすでに実行されたジョブのリストを含む、請求項１に記載の機器。
【請求項１０】
多機能印刷機器によるエネルギー消費量をシミュレートする方法であって、
処理装置が、複数のジョブを含む活動ログを読み込み、
前記処理装置が、複数の戦略から第１の戦略であって、前記活動ログの前記ジョブから独立し、かつ、前記ジョブを実行するときに前記多機能印刷機器をジョブ処理状態からアイドルモード状態又はスリープモード状態に移行するための規則の第１の集合を有する第１の戦略を読み込み、
前記処理装置が、前記多機能印刷機器により前記第１の戦略に基づき前記複数のジョブの各々を実行することをシミュレートする第１のシミュレーションを実行し、
前記処理装置が、前記第１のシミュレーションに従って前記ジョブ処理状態中に前記複数のジョブを実行するのに前記多機能印刷機器が必要とする第１の電力量を判断し、
前記処理装置が、前記第１のシミュレーションの前記アイドルモード状態及びスリープモード状態中に前記複数のジョブを実行することの間に前記多機能印刷機器が消費する第２の電力量を判断し、
前記処理装置が、前記第１のシミュレーションに従って前記第１の戦略に基づき前記複数のジョブを完了するための、前記第１の電力量と前記第２の電力量とを含む、前記多機能印刷機器による推定の電力消費量を含む報告書を作成し、
前記処理装置が、前記報告書を表示させることを含む、
多機能印刷機器によるエネルギー消費量をシミュレートする方法。
【請求項１１】
前記処理装置が、前記複数の戦略から第２の戦略であって、前記ジョブを実行するときにジョブ処理状態からアイドルモード状態又はスリープモード状態に移行するための規則の第２の集合を有する第２の戦略を読み込み、
前記処理装置が、前記第２の戦略に基づき前記複数のジョブを実行することをシミュレートする第２のシミュレーションを実行し、
前記第２のシミュレーションの前記ジョブ処理状態中に前記第２の戦略に従って前記複数のジョブを実行するのに前記多機能印刷機器が消費する第３の電力量を判断し、
前記第２のシミュレーションの前記アイドルモード状態及び前記スリープモード状態中に前記第２の戦略に従って前記複数のジョブを実行することの間に前記多機能印刷機器が消費する第４の電力量を判断することを更に含む、請求項１０に記載の方法。
【請求項１２】
前記処理装置が、前記第２の戦略に基づく前記多機能印刷機器による前記第２のシミュレーションの推定の電力消費量であって、前記第３の電力量及び前記第４の電力量を有する、推定の電力消費量を含むように前記報告書を更新することを更に含む、請求項１１に記載の方法。
【請求項１３】
前記規則の第１の集合は、前記ジョブ処理状態、前記アイドルモード状態、及び前記スリープモード状態に対する異なるエネルギーレベルの割り当てを有し、各エネルギーレベルは、前記多機能印刷機器が次のエネルギーレベルに移行する前に、エネルギーレベルにどれくらい長くとどまることになるのかを判断するタイムアウトに各エネルギーレベルが割り当てられる、請求項１０に記載の方法。
【請求項１４】
前記推定の電力消費量と実測の電力消費量の結果とを比較して、関連誤差の許容範囲を判断し、今後のシミュレーションで用いるためのシミュレーションエンジンに適用することを更に含む、請求項１０に記載の方法。
【請求項１５】
前記推定の電力消費量と以前の結果と比較して、複数の戦略の何れかを加えた任意の変更が前記多機能印刷機器の全電力消費量を増減させたかどうかを判断することを更に含む、請求項１０に記載の方法。
【請求項１６】
前記状態の各々が、関連する電力消費量を有する、請求項１０に記載の方法。
【請求項１７】
前記第１の戦略は、前記活動ログに基づいて前記多機能印刷機器のタイムアウトを最適化するための電力検知最適化戦略を有する、請求項１０に記載の方法。
【請求項１８】
前記活動ログが、前記多機能印刷機器によりすでに実行されたジョブのリストを含む、請求項１０に記載の方法。